(57)【要約】【課題】長短２種の箏に対応でき、脚板１の安定性が悪いということがなく、左右の脚板がつなぎ板３によってつながれた構造を維持して伝統的な箏立奏台の風情を残す。【解決手段】箏の下側の左右をそれぞれ支える脚板１をつなぐつなぎ板３を左右方向に３つに分割する。分割部分に設けられた分割機構５は、手動により分割と連結が可能で、雄雌の方向が同じ共通構造を有する。これにより、分割されたうちのつなぎ板中央部７は、使用または不使用が選択でき、長短２種の箏に対応できる。また、分割により、コンパクトになり携帯が可能になる。分割機構は、雄側分割端部２３と雌側分割端部２５とに形成され互いに嵌合するＬ字状の切欠を、雌側分割端部に設けられる金属製の角型スリーブ２９が覆う。この角型スリーブの面中央及び嵌合した切欠の嵌合部位の中央を貫通するピン孔に、ピンが挿通される。【選択図】図1
2005326593.tif 000002
【特許請求の範囲】
【請求項１】
箏の下側の左右をそれぞれ支える脚板と、これら左右の脚板をつなぐために脚板に着脱可能なつなぎ板と、このつなぎ板を左右方向に３つに分割する２つの分割部分と、これら２つの分割部分に設けられ手動により分割と連結が可能で雄雌の方向が同じ共通構造の分割機構と、使用または不使用とすることで長短２種の箏に対応できるように長さが設定された前記分割されたうちのつなぎ板中央部と、を有することを特徴とする箏立奏台。
【請求項２】
前記分割機構は、雄側分割端部と雌側分割端部とに形成され互いに嵌合するＬ字状の切欠と、前記雌側分割端部に設けられ前記切欠を覆う金属製の角型スリーブと、この角型スリーブの面中央及び前記嵌合した切欠の嵌合部位の中央を貫通するピン孔と、ピン孔に挿通されるピンと、からなることを特徴とする請求項１に記載の箏立奏台。
【発明の詳細な説明】
【技術分野】
【０００１】
この発明は、箏を床よりも高い位置に支えて演奏する際に使用される箏立奏台の組み立て構造に関する。
【背景技術】
【０００２】
箏は、床や畳の上に置いて演奏することもあれば、床よりも高い位置に支えて演奏することもある。床よりも高い位置に支える際に使用されるのが箏立奏台である。
図４に示すように、従来の伝統的な箏立奏台１０１は、箏１００の下側の左右をそれぞれ支える脚板１０３と、これら左右の脚板１０３をつなぐつなぎ板１０５と、からなる。この場合に、左右の脚板１０３の位置はつなぎ板１０５により固定されているので、胴長が長短２種の箏には対応できず、２種の箏立奏台１０１が必要であった。
【０００３】
これに対し、近年、箏の下側の左右を支える脚部が、左右独立した折りたたみ式パイプ製のものや、左右独立した折りたたみ式木製のものがある。独立しているために、脚部の相対位置を変えれば、長短２種の箏にも容易に対応できる。
【発明の開示】
【発明が解決しようとする課題】
【０００４】
しかしながら、脚部が左右独立した箏立奏台は、安定性が悪く、箏を載せて支える際に一方の脚部が動いてしまったり、箏を支えている状態でも移動してしまう恐れが高かった。さらに、脚部が左右独立した構造から、伝統的な箏立奏台の風情が消えてしまった。
この発明は、以上の問題点を解決するために、安定性がよく、伝統的な箏立奏台の風情を残すことができる箏立奏台を提供することを目的とする。
【課題を解決するための手段】
【０００５】
以上の課題を解決するために、第一発明は、箏の下側の左右をそれぞれ支える脚板と、これら左右の脚板をつなぐために脚板に着脱可能なつなぎ板と、このつなぎ板を左右方向に３つに分割する２つの分割部分と、これら２つの分割部分に設けられ手動により分割と連結が可能で雄雌の方向が同じ共通構造の分割機構と、使用または不使用とすることで長短２種の箏に対応できるように長さが設定された前記分割されたうちのつなぎ板中央部と、を有することを特徴とする箏立奏台である。
【０００６】
第二発明は、更に、前記分割機構は、雄側分割端部と雌側分割端部とに形成され互いに嵌合するＬ字状の切欠と、前記雌側分割端部に設けられ前記切欠を覆う金属製の角型スリーブと、この角型スリーブの面中央及び前記嵌合した切欠の嵌合部位の中央を貫通するピン孔と、ピン孔に挿通されるピンと、からなることを特徴とする箏立奏台である。
【発明の効果】
【０００７】
第一、又は第二発明によれば、つなぎ板中央部を使用して長いつなぎ板とすることで胴長が長い箏に対応でき、つなぎ板中央部を不使用にして短いいつなぎ板とすることで胴長が短い箏に対応できる。脚板がつながれているので、安定性がよく、箏を載せて支える際に一方の脚部が動いてしまったりすることがなく、載せやすい。また、箏を支えている状態でも移動しにくい。更に、脚板が左右つなぎ板によりつながれた構造から、伝統的な箏立奏台の風情を残すことができる。
【０００８】
第二発明によれば、さらに、雌側分割端部のスリーブへ雄側分割端部を挿入し嵌合して、ピン孔へピンを挿通することで、容易に連結がおこなえ、更にピンによって抜け止めがおこなえる。また、角型スリーブを外せば、雄側分割端部と雌側分割端部との構造は共通となり、製造コストを抑えることができる。
【発明を実施するための最良の形態】
【０００９】
この発明の実施形態を、図１〜図３に示す。
（概略全体））
図１に示すように、箏の下側の左右をそれぞれ支える脚板１は、着脱可能なつなぎ板３によりつながれる。このつなぎ板３は、板幅方向が、垂直軸に対して斜めに傾斜している。また、つなぎ板３は、左右方向に、２つの分割部分で３つに分割される。これら２つの分割部分に設けられる分割機構５は、手動により分割と連結が可能で、雄雌の方向が同じ共通構造を有する。これにより、分割されたうちのつなぎ板中央部７は、使用または不使用とすることができ、よって長短２種の箏に対応できる。
【００１０】
（脚板１）
脚板１は、概略台形をしており、台形の上辺には、箏の下側を支える凹み８が形成される。脚板１の下辺の両端には、床に接する足部９が突設される。また、脚板１の中央には、つなぎ板３が貫通する貫通孔１１が斜めに形成される。
【００１１】
（つなぎ板３）
つなぎ板３は、左右の脚板１をつなぐために設けられる。両端部には、貫通孔１１に貫通するために、逆Ｔ字状の凸部１３が形成される。この凸部１３には、楔１５が挿通されるための楔孔１７が形成される。この貫通と、楔１５の使用により、脚板１に着脱可能となっている。また、つなぎ板３は、左右方向に、２つの分割部分で３つに分割され、つなぎ板中央部７、つなぎ板左部１９、つなぎ板右部２１に分かれる。
【００１２】
（分割機構５）
図２に示すように、分割機構５は、つなぎ板３の２つの分割部分に設けられ、雄側分割端部２３と雌側分割端部２５を有する。すなわち、つなぎ板左部１９の右端に雌側分割端部２５、つなぎ板中央部７の左端に雄側分割端部２３、つなぎ板中央部７の右端に雌側分割端部２５、つなぎ板右部２１の左端に雄側分割端部２３が、設けられる。
【００１３】
雄側分割端部２３と雌側分割端部２５とには、Ｌ字状の切欠２７が形成され、一方が上下逆になることで、互いに嵌合する（図２（Ａ））。雌側分割端部２５には、つなぎ板３の断面に嵌合する内部断面形状を有する角型スリーブ２９が設けられ、切欠２７を覆う。角型スリーブ２９はステンレス製やアルミ製などとする。この角型スリーブ２９の表裏面の上下左右の中央にピン孔３１が形成される。また、嵌合した切欠２７のクランク形状（図２（Ｂ）参照）を有する嵌合部位３３の中央に、このピン孔３１が貫通する。このピン孔３１にはピン３５が挿通される。この挿通が完全になされても、ピン３５のヘッドは一定寸法が突出した状態を残す様に寸法設定がなされ、箏立奏台を分解する際にピン３５をつまみやすくする（図２（Ｃ））。
【００１４】
（組立及び分解の手順）
組立は図１に示すように
（１）分割されているつなぎ板３を長さ方向へ、つなぎ板左部１９、つなぎ板中央部７、つなぎ板右部２１の順に並べる（図１（Ａ））。
【００１５】
（２）角型スリーブ２９のピン孔３１へ仮に挿通されていたピン３５を取り出す。
（３）つなぎ板３の２つの分割機構５の雄側分割端部２３と雌側分割端部２５を連結する。このとき、雄側分割端部２３のＬ字状の切欠２７が、雌側分割端部２５の角型スリーブ２９の端部から挿入され、角型スリーブ２９の内部で、Ｌ字状の切欠同士が、互いに嵌合する。
【００１６】
（４）嵌合した状態で、角型スリーブ２９のピン孔３１へピン３５を挿通する。ピン３５のヘッドは一定寸法が突出した状態で、連結は完了する。
（５）連結が完了したつなぎ板３の両端部の凸部１３を、脚板１の貫通孔１１へ貫通させる（図１（Ｂ））。
（６）つなぎ板３の両端部の凸部１３に形成されている楔孔１７へ、楔１５を挿通する（図１（Ｃ））。
【００１７】
分解は逆に、
（１）つなぎ板３の両端部の凸部１３に形成されている楔孔１７から楔１５を抜く。
（２）つなぎ板３の両端部の凸部１３を、脚板１の貫通孔１１から抜く。
（３）２つの分割機構５の角型スリーブ２９のピン孔３１からピン３５を抜く。
（４）それぞれ雌側分割端部２５から雄側分割端部２３を抜く。これにより、つなぎ板３は、３つに分割される。
（５）角型スリーブ２９のピン孔３１へピン３５を仮に挿通する。
（６）分割されているつなぎ板３を幅方向に接して並べ、脚板１を重ねるようにして、収納する。
【００１８】
「実施形態の効果」
この実施形態によれば、つなぎ板中央部７を使用して長いつなぎ板３とすることで、脚板１の相対位置を離し、胴長が長い箏に対応できる。また、つなぎ板中央部７を不使用にして短いいつなぎ板３とすることで、脚板１の相対位置を近づけ、胴長が短い箏に対応できる。
【００１９】
脚板１がつなぎ板３でつながれているので、安定性がよい。たとえば、箏を載せて支える際に一方の脚部が動いてしまったりすることがなく、載せやすい。また、箏を支えている状態でも一方の脚板１が移動してしまうなどのことがない。更に、脚板１が左右つなぎ板３によりつながれた構造から、伝統的な箏立奏台の風情を残すことができる。
【００２０】
さらに、雌側分割端部２５のスリーブへ雄側分割端部２３を挿入し嵌合して、ピン孔３１へピン３５を挿通することで、容易に連結がおこなえる。更に、ピン３５によって抜け止めがおこなえる。また、角型スリーブ２９を外せば、雄側分割端部２３と雌側分割端部２５との構造は共通となり、製造工程を共通化でき、よってコストを抑えることができる。
【００２１】
また、分割により、つなぎ板３がコンパクトになり、携帯が可能になる。例えば図３に示すように、専用のカバン３７を用意し、３つの分割したつなぎ板３を幅方向に接して並べ、これらの上に重ねるようにして脚板１を位置させれば、全体をコンパクトにして小さなカバン３７に収納し、携帯することができる。
【００２２】
「他の実施形態」
以上の実施形態では、分割機構５はＬ字状の切欠同士が嵌合するものであったが、他の実施形態では、他の形状による嵌合であってもよい。例えば、３本の平行な凸部１３と、２本の平行な凸部１３が嵌合する形状とすることも可能である。
【００２３】
以上の実施形態では、ピン３５は、嵌合した切欠２７のクランク形状を有する嵌合部位３３の中央に貫通するものであったが、他の実施形態では、嵌合部位３３から離れ、雄側分割端部２３のＬ字状の凸部１３に貫通するものであってもよい。
【図面の簡単な説明】
【００２４】
【図１】この発明の一実施形態に係る箏立奏台の組立手順を示すもので、（Ａ）は、つなぎ板の分割斜視図（Ｂ）は、つなぎ板の組立斜視図（Ｃ）は、脚板との組立斜視図である。
【図２】つなぎ板の分割機構を拡大して示す組立斜視図で（Ａ）は、分割機構の角型スリーブを点線で示す分割斜視図（Ｂ）は、（Ａ）の組立斜視図（Ｃ）は、（Ｂ）で角型スリーブを点線で示しピンを挿通した状態の組立斜視図である。
【図３】分解した箏立奏台を専用のカバンを収納する状態を示すもので（Ａ）は、つなぎ板を収納する状態を示す斜視図（Ｂ）は、脚板を収納する状態を示す斜視図である。
【図４】従来の箏立奏台によって箏を支えた状態を示す斜視図である。
【符号の説明】
【００２５】
１…脚板、３…板、５…分割機構、７…板中央部、９…足部、１１…貫通孔、１３…凸部、１５…楔、１７…楔孔、１９…板左部、２１…板右部、２３…雄側分割端部、２５…雌側分割端部、２７…切欠、２９…角型スリーブ、３１…ピン孔、３３…嵌合部位、３５…ピン、３７…カバン。
【図１】
2005326593.tif 000003
【図２】
2005326593.tif 000004
【図３】
2005326593.tif 000005
【図４】
2005326593.tif 000006